(57)【特許請求の範囲】
【請求項１】
手袋を被着した手が挿入される挿入部と、
該挿入部の内側に相対的に開閉可能に設けられ、該挿入部に挿入された手に被着された手袋の口に係止可能な複数個の係止爪と、
前記手袋を被着した手が前記挿入部に挿入された後、前記係止爪を、該係止爪が前記手袋の口に係止され得るように閉方向に移動させ、その後、前記係止爪に係止された前記手袋からの手の引抜きが可能になるように前記係止爪を開方向に移動させて前記手袋の口を開き、前記手袋から手が引き抜かれた後、廃棄のため該手袋を前記係止爪から外して下方に落下させるように該係止爪を駆動する係止爪駆動手段と、
を備えたことを特徴とする手袋の取外し装置。
【請求項２】
前記係止爪駆動手段が、前記手袋から手が引き抜かれた後、前記係止爪から前記手袋が外れるように該係止爪を閉方向に移動させるものであることを特徴とする請求項１記載の装置。
【請求項３】
前記係止爪駆動手段が、前記手袋から手が引き抜かれた後、前記係止爪から前記手袋が外れる方向に該係止爪を傾動させるものであることを特徴とする請求項１記載の装置。
【請求項４】
前記挿入部の下方に、前記係止爪から外されて落下した手袋が収容される収容部を備えたことを特徴とする請求項１から３のいずれか１項記載の装置。
【発明の詳細な説明】
【０００１】
【発明の属する技術分野】
本発明は、手袋の取外し装置に関し、特に、例えば病院等において手術後の手に被着されている伸縮性を有する汚れた手袋を、衣服または肌に直接触れることなく除脱、廃棄することができる手袋の取外し装置に関するものである。
【０００２】
【従来の技術】
例えば病院の手術室または食品製造現場等では、天然ゴム、合成ゴムまたは合成樹脂製の伸縮性を有する手袋を被着して作業を行なっている。そして、使用後の汚れた手袋は一般に自らの手で外すようにしているが、その際に手袋が衣服に触れることが度々あり、特に、毒物、細菌、血液等で手袋が汚染されている場合でも、片方の手の手袋を取り外した後に、その片方の手で他方の手の手袋を取り外さねばならなかった。
【０００３】
そこで、例えば特開２０００−１０７２０１号に開示されているような手袋の着脱装置が提案されている。この装置では、楕円状の環の短軸の両端の内側に腕をはさむための弧状の部材を取り付けたアダプターに、手袋のそで口の周りの対向する２カ所を取り付け、手に手袋を取り付け・取り外しするときは、上記環の長軸の両端付近の側面を長軸方向に圧縮して、そで口を開き、かつ、圧縮した時に、手袋に負圧をかけて手袋を膨らませるようにしている。
【０００４】
【発明が解決しようとする課題】
しかしながら、上述した従来の装置では、手袋の被着も可能であるという利点があるとはいうものの、手袋に負圧をかけて膨らませるための減圧装置が必要となるため、装置が大掛かりになるという問題がある。
【０００５】
そこで本発明は、極めて簡単な機構ながら、手袋の取外しを容易かつ確実に実行することができる手袋取外し装置を提供することを目的とするものである。
【０００６】
【課題を解決するための手段】
本発明による手袋取外し装置は、手袋を被着した手が挿入される挿入部と、この挿入部の内側に相対的に開閉可能に設けられ、この挿入部に挿入された手に被着された手袋の口に係止可能な複数個の係止爪と、これら係止爪を駆動する係止爪駆動手段とを備えており、
この係止爪駆動手段が、上記手袋を被着した手が上記挿入部に挿入された後、上記係止爪を、これら係止爪が手袋の口に係止され得るように閉方向に移動させ、その後、上記係止爪に係止された手袋からの手の引抜きが可能になるように上記係止爪を開方向に移動させて手袋の口を開き、手袋から手が引き抜かれた後、廃棄のため上記手袋を上記係止爪から外して下方に落下させるように構成されていることを特徴とするものである。
【０００７】
上記複数の係止爪のうちの１個を、装置に固定されたガイド板に取り付け、他の１個を、上記ガイド板に対して進退可能なスライド板に取り付けた構成とすることができる。
【０００８】
また、上記係止爪を開閉方向に移動させる手段は、例えば足踏みペダルと、このペダルに連結されたワイヤおよび戻しスプリング等を用いて構成することができるが、センサおよびモータによって電気的に構成することも可能である。
【０００９】
上記手袋から手が引き抜かれた後、手袋の廃棄のための上記係止爪駆動手段による、手袋を上記係止爪から外して下方に落下させるように係止爪を駆動する動作は、上記係止爪から手袋が外れるように係止爪を閉方向に移動させるものであっても、あるいは、上記係止爪から手袋が外れる方向に係止爪を傾動させるものであってもよい。
【００１０】
また、上記挿入部の下方に、上記係止爪から外されて落下した手袋が収容される収容部を備えていることが好ましい。
【００１１】
【発明の効果】
本発明によれば、上記係止爪駆動手段が、手袋を被着した手が上記挿入部に挿入された後、上記係止爪を、これら係止爪が手袋の口に係止され得るように閉方向に移動させ、その後、上記係止爪に係止された手袋からの手の引抜きが可能になるように上記係止爪を開方向に移動させて手袋の口を開き、手袋から手が引き抜かれた後、廃棄のため手袋を上記係止爪から外して下方に落下させるように係止爪を駆動するものであるから、従来のこの種の装置におけるような、手袋に負圧をかけて膨らませるための減圧装置を設ける必要がなくなるとともに、使用済みの手袋を確実かつ容易に廃棄することができる。
【００１２】
したがって、コンパクトで簡単な構成を有し、かつ動作の確実な手袋取外し装置を提供することができる。
【００１３】
【発明の実施の形態】
以下、図面に示す実施の形態に基づいて本発明を詳細に説明する。
【００１４】
図１〜図４は、本発明による手袋の取外し装置の一実施の形態の構成を示す概略図で、図１は係止爪が開状態にあるときの内部構成を示す側面図、図２はそのハウジングの上面板を除去し、かつ一部の構成を省略した平面図、図３はハウジングの正面板を取り除いて示す部分的正面図、図４は開状態にある係止爪を示す正面図である。なお、図１から明らかなようにハウジングの上面板は手前側に傾斜しているが、図面を簡略化するため、図２および図３においては上記上面板を水平なものとして描いてある。
【００１５】
この手袋の取外し装置１は、少なくとも上面板２ａと正面板２ｂとを備えたハウジング２を有し、上面板２ａには、図２に仮想線で示すような、手袋を被着した手を挿入するための一対の挿入口４，４が形成され、ハウジング２の内部には、落下する使用済みの手袋を受けるごみ箱３が設置されている。上面板２ａの裏面には、各挿入口４に関し、内縁側にガイド板６が一部を挿入口４に臨ませて固定され、外縁側にはスライド板８が移動可能に設けられている。各スライド板８は、図２〜図４に示すようにそれぞれガイド板６から離間して上面板２ａの下側に隠れた第１の位置と、図５および図６に示すようにガイド板６の接近して挿入口４に露出される第２の位置との間で図２〜図４の左右方向に進退可能に設けられている。
【００１６】
各ガイド板６は、その上記挿入口４内に臨む内側縁６ａが平面図で見て円弧状凹部を形成し、これに対向するスライド板８の内側縁８ａも同様の円弧状凹部を形成している。
【００１７】
ガイド板６の下面には、図４に示すような第１の係止爪１０が、紙面に垂直な水平軸１２の周りで枢動可能に設けられている。係止爪１０のスライド板８側の先端には、手に被着された手袋の口の端縁部の内側に係入するための下方を向いた爪先１０ａと、手袋の口の端縁部を収容するための下方に開口した凹部１０ｂとが形成されている。なお、ガイド板６の内側縁６ａの下部には、後述するによる係止爪１０の図４における反時計方向の傾動を許容するための切欠き６ｂが形成されている。また、係止爪１０は、その軸１２に関して爪先１０ａ側とは反対側の端部に、上記係止爪傾動機構７０に係合するローラ７２を、軸１２と平行な軸７１に軸支された態様で備えている。一方、スライド板８の下面にも、係止爪１０と同様の爪先１４ａおよび凹部１４ｂを備えた第２の係止爪１４が軸１３を介して固定されている。
【００１８】
ハウジング２の上面板２ａには、図２から明らかなように、左右方向に延びる支持板１５，１５が固定され、Ｌ字状のスライドベース１６，１６がそれぞれ支持板１５の下面に沿って図２の左右方向に摺動可能に設けられ、各スライドベース１６上に、スライド板８が取り付けられている。各スライド板８は、スライドベース１６に対して若干距離だけ左右方向に移動可能に設けられているとともに、それぞれ一対のコイルスプリング（圧縮スプリング）１８，１８によってガイド板６の方向に付勢されている。各コイルスプリング１８の付勢力は、調整ねじ２０によってハウジング２の外側からそれぞれ調整可能になっている。
【００１９】
各スライドベース１６は、コイルスプリング（引張りスプリング）２２によってスライド板８がガイド板６から離間する方向に付勢されていることにより、スライド板８は、係止爪１４を開いた状態の図２〜図４に示す位置を保っている。また、各スライドベース１６の端部にはローラ２４が取り付けられ、上面板２ａに固定されたレール２６上をローラ２４が転動するようになっている。
【００２０】
ハウジング２の前面板２ｂの背面には、図３に示すような形状を有する回転板２８が、前面板２ｂに固定された軸受３０（図１）に支持された軸３１を介して前面板２ｂと平行な垂直面内で回転自在に設けられている。この回転板２８の裏面上において、図３の斜め右上から斜め左下に過ぎる約４５°をなす直径の両端に、それぞれピボット軸３２，３２が回転板２８の面と垂直に立設され、各ピボット軸３２には細長い連結板３４の一端が枢支されている。
【００２１】
一方、図３の右側のスライドベース１６の左端からは短い連結ブラケット３６が垂設され、この連結ブラケット３６の下端に立設されたピボット軸３８に、回転板２８の右上のピボット軸３２に一端を枢支された連結板３４の他端が枢支されている。また、図３の左側のスライドベース１６の右端からは長い連結ブラケット４０が垂設され、この連結ブラケット４０の下端に立設されたピボット軸４２に、回転板２８板の左下のピボット軸３２に一端を枢支された連結板３４の他端が枢支されている。そして、連結ブラケット３６および４０は、図３の状態で両連結板３４，３４が略水平になるような長さに設定されている。したがって、回転板２８を図３に示す位置から反時計方向に回動することにより、両スライドベース１６，１６が互いに接近する方向に摺動し、これに伴ってスライド板８，８がそれぞれガイド板６に向かって前進することになる。
【００２２】
本実施の形態においては、上記回転板２８の駆動手段として、図１および図３に示す足踏みペダル４４と、このペダル４４と回転板２８との間に接続されたワイヤ４６とを用いている。すなわち、ハウジング２の底部に固定されたペダルベース４８から一対の支柱５０，５０が所定の間隔をおいて立設され、これら支柱５０，５０の上端部間に水平に橋架された軸５２によってペダル４４が揺動可能にその両側を支持されている。ペダル４４は軸５２から手前側（図１の左側）が短く、軸５２から奥側（図１の右側）が長く形成され、かつペダル４４の手前側の端部とペダルベース４８との間に介装されたコイルスプリング（引張りスプリング）５４によって、図１の反時計方向に付勢されて、軸５２から奥側が高くなるように傾斜している。また、ペダルベース４８上には、ペダル４４の踏込み位置を規制するストッパ４５が立設されている。
【００２３】
上記ワイヤ４６の一端はペダル４４の最も高い位置から側方に延びる支柱５６の先端に係止され、複数のプーリ５８を経由して上方へ延び、最上位のプーリ５８ａから回転板２８の下方近傍に設けられたプーリ５８ｂに向かって斜め下方へ延び、回転板２８の表側に回転板２８の下側のピボット軸３２と同軸に立設された軸６０にワイヤ４６の他端が係止されている。そして上記プーリ５８ｂは、ワイヤ４６によって回転板２８がその外周の略接線方向に引かれるように位置決めされている。
【００２４】
以上の構成により、図１〜図４に示す状態から、ペダル４４をコイルスプリング５４の付勢力に抗して踏み込み、ペダル４４の下面がストッパ４５の上端に当接した図１の仮想線で示すような水平状態にすると、回転板２８が図３の反時計方向に回動して図５に示す状態となり、これに伴ってスライドベース１６，１６がそれぞれコイルスプリング２２を引き伸ばしながら摺動し、これに伴ってスライド板８，８がガイド板６に向かって前進し、図６に示す状態となる。なお、図６においては、係止爪１０，１０を傾動させて、使用済みの手袋をごみ箱３内に落下させるための係止爪傾動機構７０（図２では省略してある）が両ガイド板６，６の間に示されているが、その構成および動作については後述する。
【００２５】
次に、以上説明した手袋の取外し装置１の動作について、図７〜図９を参照して説明する。
【００２６】
先ず、係止爪１０，１４が図４に示すように左右に開いた状態において、図７に示すように、手袋６５を被着した腕６６（両腕）をこの装置１の上面板２ａの挿入口４から挿入する。そして腕６６をガイド板６の内側縁６ａに当て、この内側縁６ａに沿って腕６６を上方に引いて、係止爪１０の爪先１０ａを手袋６５の口の端縁部６５ａの一側（図７の左側）の内側に係入させる。
【００２７】
次に、ペダル４４を踏み込んで、スライド板８をガイド板６に向かって前進させて係止爪１４を係止爪１０に対して閉じ、スライド板８の内側縁８ａを腕６６に当てる。それを確認後、前記と同様に、係止爪１４の爪先１４ａを手袋６５の口の端縁部６５ａの他側（図７の右側）の内側に係入させ、図８に示すように、双方の係止爪１０、１４が手袋６５の口に係止された状態とする。なお、図８においては、スライド板８の内側縁８ａが腕６６から若干離れているように描いてあるが、実際には、スライド板８の内側縁８ａはコイルスプリング１８，１８の付勢力で腕６６に密着する。
【００２８】
次に、この状態でペダル４４を離すと、コイルスプリング２２、２２の付勢力でスライドベース１６，１６が回転板２８を時計方向に回動させながらスライド板８，８とともに後退して係止爪１４，１４が開き、図１〜図４に示す状態に戻る。したがって手袋６５の口は係止爪１０，１４に引張られて図９に示すように開き、この状態で腕６６を挿入口４から抜き出せば、手袋６５が係止爪１０，１４によって係止されたままの状態で保持されているために、手を手袋６５から引き抜くことができる。この際、手袋６５が手に密着している場合には、手袋６５は裏返しになり、手から外れる。
【００２９】
このように、本実施の形態による手袋取外し装置１を用いればれば、両手に被着された使用済み手袋６５を、衣服、肌等に触れることなく容易に取り外すことができること明らかである。
【００３０】
ところで、この手を抜き去った状態では、手袋６５が係止爪１０，１４に係止された状態のまま保持されている可能性がある。そこで、再びペダル４４を踏んで、係止爪１４を閉方向に移動させることにより、使用済み手袋６５をごみ箱３内に落下させることができる。
【００３１】
したがって、その場合には、係止爪１０に対して係止爪１４が開方向（係止爪１０から遠ざかる方向）および閉方向（係止爪１４に接近する方向）に移動するように係止爪を駆動する係止爪駆動手段である係止爪開閉機構が、廃棄のため使用済み手袋６５を係止爪１０，１４から外して下方に落下させる機能を兼ね備えることになるが、本実施の形態においては、使用済み手袋６５をさらに確実に係止爪１０，１４からごみ箱３ないに落下させるための係止爪傾動機構７０を備えており、係止爪駆動手段が係止爪開閉機構と係止爪傾動機構７０とによって構成されている。以下、この係止爪傾動機構７０について、図１０〜図１４を参照して説明する。
【００３２】
先ず図１０に示すように、各ガイド板６の下方において軸１２の回りに回動可能に設けられた係止爪１０は、その軸１２に関して爪先１０ａ側とは反対側の端部に、軸１２と平行な軸７１によって支持されたローラ７２を備えている。
【００３３】
上面板２ａの下面の両ガイド板６，６の間の部位には支持ブロック７４が垂設され、この支持ブロック７４に上下スライダ７５が上下方向に摺動可能に設けられている。上下スライダ７５の一方の面には、左右一対のポスト７６，７６が突設されている。そして、支持ブロック７４と各係止爪１０の間の位置に軸７１と平行に設けられた軸７８に、爪傾動アーム８０の中央のボス部８１が回動可能に軸支されている。この爪傾動アーム８０のボス部８１からは、係止爪１０が備えているローラ７２が係入される溝８２を先端に形成した比較的幅広のアーム部８４が係止爪１０に向かって斜め上方に延びている。また、このアーム部８４の反対側においてボス部８１から比較的幅狭のアーム部８６が略水平に延び、このアーム部８６の水平な下縁８６ａの先端部が上記上下スライダ７５に突設されたポスト７６の外周面上に乗っている。
【００３４】
上下スライダ７５のポスト７６側とは反対側の面には、図１１に示すように、左右方向に長い長円形の孔８８ａを備えたカム板８８が固定され、かつこのカム板８８と支持ブロック７４の下端部との間に懸装されたコイルスプリング９０によって、上下スライダ７５が下方へ付勢された態様で図１０および図１１に示す位置に停止している。
【００３５】
一方、上面板２ａから垂下された支持板９１には軸９２が設けられ、この軸９２に、Ｌ字状のハンドルアーム９３の中央のボス部９４が回動可能に軸支されている。そして、このボス部９４からカム板８８に向かって略水平に延びるアーム部９５の先端に、カム板８８の孔８８ａに係合する短い円柱体９６が取り付けられている。また上記ボス部９４から垂直上方へ延びるアーム部９７の先端には、上面板２ａの溝５を貫通して上面板２ａの上面に突出するロッド９８が固定され、このロッド９８の上端に操作ノブ９９が取り付けられている。
【００３６】
以上の構成において、図９の状態から手を手袋から引き抜いた後に、図１２に示すように係止爪傾動機構７０の操作ノブ９９をコイルスプリング９０の付勢力に抗して前方へ押すことにより、上下スライダ７５が上方へ摺動し、これに伴いポスト７６，７６が上方へ移動する。したがって、図１３に示すように、爪傾動アーム８０が回動し、係止爪１０のローラ７２を下方へ押し下げるから、係止爪１０はその爪先１０ａが上昇する方向に傾動され、図１４に示すように、係止爪１０は最早手袋６５を係止することができなくなり、手袋６５は下方へ落下してごみ箱３に収容される。
【００３７】
以上の説明から明らかなように、本実施の形態によれば、係止爪１４を係止爪１０に対して開状態にしておいて、手袋６５を装着した手を挿入口４に挿入して、一方の係止爪１０を手袋６５の口に係止させてから、他方の係止爪１４を閉方向に移動させて手袋６５の口に係止させ、この状態で係止爪１４を開方向に移動させた後、手を手袋６５から引き抜くことで、手袋６５を外すことができるから、従来のこの種の装置におけるような、手袋に負圧をかけて膨らませるための減圧装置を設ける必要がなくなる。したがって、コンパクトで簡単な構成を有し、かつ動作の確実な手袋取外し装置を提供することができる。
【００３８】
また、一方の係止爪１０がガイド板６に取り付けられているから、挿入口４から手を入れたとき、このガイド板６に手を当ることによって、手袋６５の口を正確かつ容易に係止爪１０に整合させることができる。
【００３９】
さらに、係止爪１４を開閉するためにワイヤ４６を用いていることにより、装置全体の構成を簡単かつコンパクトに構成することができる。
【００４０】
さらに、操作ノブ９９で操作される係止爪傾動機構７０を備えていることにより、使用済みの手袋６５を確実かつ容易にごみ箱３に落下させることができる。
【図面の簡単な説明】
【図１】本発明による手袋取外し装置の一実施の形態の内部構成を示す概略的側面図
【図２】係止爪が開状態にあるときの、ハウジングの上面板を除去しかつ一部の構成を省略して示す平面図
【図３】係止爪が開状態にあるときの、ハウジングの正面板を取り除いて示す部分的正面図
【図４】開状態にある係止爪の構成を示す正面図
【図５】係止爪が閉状態にあるときの図３に対応する部分的正面図
【図６】係止爪が閉状態にあるときの図２に対応する平面図
【図７】手袋を被着した手を挿入口から挿入した状態を示す正面図
【図８】手袋の口が係止爪によって係止された状態を示す正面図
【図９】手袋の口が係止爪によって開かれた状態を示す正面図
【図１０】操作される以前の係止爪傾動機構の構造を示す正面図
【図１１】図１０の係止爪傾動機構に連結される操作部の構造を示す側面図
【図１２】図１１の操作部が操作された状態を示す側面図
【図１３】操作後の係止爪傾動機構の構造を示す正面図
【図１４】係止爪が傾動されて手袋が落下した状態を示す正面図
【符号の説明】
２    ハウジング
４    挿入口
６    ガイド板
８    スライド板
１０，１４    係止爪
１６    スライドベース
２８    回転板
４４    ペダル
４６    ワイヤ
７０    係止爪傾動機構
７５    上下スライダ
９９    操作ノブ
【図１】
0003542328.tif 000002
【図２】
0003542328.tif 000003
【図３】
0003542328.tif 000004
【図４】
0003542328.tif 000005
【図５】
0003542328.tif 000006
【図６】
0003542328.tif 000007
【図７】
0003542328.tif 000008
【図８】
0003542328.tif 000009
【図９】
0003542328.tif 000010
【図１０】
0003542328.tif 000011
【図１１】
0003542328.tif 000012
【図１２】
0003542328.tif 000013
【図１３】
0003542328.tif 000014
【図１４】
0003542328.tif 000015